(57)【特許請求の範囲】
【請求項１】
記録媒体に向けてインクを吐出する記録ヘッドと、その記録ヘッドを搭載して前記記録媒体と対向する位置を主走査方向に往復移動するキャリッジと、そのキャリッジに搭載され前記キャリッジの主走査方向上における何れかの位置を検出位置として、その検出位置と対向する位置に記録媒体が存在するかを検出する検出手段とを備えたインクジェット記録装置において、
記録を要求する記録媒体の主走査方向の幅の大きさを示すサイズ情報を含む記録指令を取得する取得手段と、
その取得手段で取得した記録指令に含まれているサイズ情報が示す記録媒体よりも主走査方向の幅が小さい記録媒体が通過し得る位置を除いて、前記何れかの位置から、前記サイズ情報が示す記録媒体が通過し得る位置と対向する位置を前記検出位置となる一点を設定する設定手段と、
その設定手段で設定した検出位置に前記キャリッジを移動させる移動手段と、
その移動手段でキャリッジを検出位置に移動させた後であって記録を開始する前に、その検出位置と対向する位置に記録媒体が存在するかを前記検出手段によって確認する確認手段とを備えていることを特徴とするインクジェット記録装置。
【請求項２】
前記サイズ情報が示す記録媒体の主走査方向の幅が葉書、往復葉書、各種封筒の何れかであるかを判断する第１判断手段を備え、
前記設定手段は、その第１判断手段によって葉書、往復葉書、各種封筒の何れかであると判断された場合には、葉書、往復葉書、各種封筒の主走査方向における幅の中央位置と対向する位置を前記検出位置として設定することを特徴とする請求項１に記載のインクジェット記録装置。
【請求項３】
前記設定手段によって設定された検出位置と対向する位置を通過し得ない記録媒体が搬送された結果、前記確認手段によって前記記録媒体が存在しないことが確認された場合に、前記記録指令に基づく記録媒体への記録を実行せずに、前記記録媒体を排出する排出手段を備えていることを特徴とする請求項１に記載のインクジェット記録装置。
【請求項４】
前記取得手段は、前記記録指令に含まれている解像度を取得し、
その取得手段で取得した解像度が第１の閾値より高いかを判断する解像度判断手段と、
その解像度判断手段によって前記取得手段で取得した解像度が前記第１の閾値よりも高いと判断された場合に、前記設定手段と、前記移動手段と、前記確認手段とを実行して搬送される記録媒体の副走査方向における先端部を検出する先端検出手段とを備えていることを特徴とする請求項１から３のいずれかに記載のインクジェット記録装置。
【請求項５】
前記検出手段によって主走査方向における記録媒体の位置を検出する幅検出手段を備え、
前記解像度判断手段は、前記取得手段で取得した解像度が前記第１の閾値よりも高い第２の閾値より高いかを判断し、
前記先端検出手段と前記幅検出手段とは、その解像度判断手段により前記取得手段で取得した解像度が第２の閾値よりも高いと判断された場合に実行されることを特徴とする請求項４に記載のインクジェット記録装置。
【請求項６】
前記解像度判断手段は、前記取得手段で取得した解像度が前記第２の閾値よりも高い第３の閾値より高いかを判断し、
前記先端検出手段と前記幅検出手段とは、その解像度判断手段により前記取得手段で取得した解像度が第３の閾値よりも高いと判断された場合に全頁について実行され、前記第３の閾値よりも低いと判断された場合には一頁についてだけ実行されることを特徴とする請求項５に記載のインクジェット記録装置。
【請求項７】
記録媒体に向けてインクを吐出する記録ヘッドと、その記録ヘッドを搭載して記録媒体と対向する位置を主走査方向に往復移動するキャリッジと、そのキャリッジに搭載され前記キャリッジの主走査方向上における何れかの位置を検出位置として、その検出位置と対向する位置に記録媒体が存在するかを検出する検出手段とを備えたインクジェット記録装置を制御する制御プログラムにおいて、
記録を要求する記録媒体の主走査方向の幅の大きさを示すサイズ情報を含む記録指令を取得する取得ステップと、
その取得手段で取得した記録指令に含まれているサイズ情報が示す記録媒体よりも主走査方向の幅が小さい記録媒体が通過し得る位置を除いて、前記何れかの位置から、前記サイズ情報が示す記録媒体が通過し得る位置と対向する位置を前記検出位置となる一点を設定する設定ステップと、
その設定ステップで設定した検出位置に前記キャリッジを移動させる移動ステップと、
その移動ステップで検出位置にキャリッジを移動させた後であって記録を開始する前に、その検出位置と対向する位置に記録媒体が存在するかを前記検出手段によって確認する確認ステップとを備えていることを特徴とする制御プログラム。
【発明の詳細な説明】
【技術分野】
【０００１】
本発明は、インクジェット記録装置および制御プログラムに関する。
【背景技術】
【０００２】
従来より、記録媒体と対向する位置を主走査方向に往復移動するキャリッジに搭載された記録ヘッドから記録媒体に向けてインクを吐出することで記録媒体に画像を形成するインクジェット記録装置が知られている。また、このインクジェット記録装置には、キャリッジに搭載されたセンサで主走査方向における記録媒体の幅を検出し、記録媒体からはみ出してインクが吐出されるのが防止されている。
【０００３】
このインクジェット記録装置に関し、次の特許文献１には、「全面印刷時に、記録ヘッドから液滴を吐出させることなく印刷時移動速度よりも遅い検出速度でキャリッジを主走査方向に移動させて、キャリッジに搭載されている記録媒体検出手段で当該記録媒体の記録媒体幅を検出する」技術が開示されている。
【特許文献１】特開２００７−２４５６２６号公報（段落第「００２６」等）
【発明の開示】
【発明が解決しようとする課題】
【０００４】
しかしながら、上述した特許文献１に記載されている技術では、印刷時移動速度よりも遅い検出速度で記録媒体幅を検出するので、検出精度は向上するものの、記録媒体幅を検出するには記録媒体の両縁を検出する必要があり、記録媒体幅を検出するのに多大な時間を要するという問題点があった。
【０００５】
一方、インクジェット記録装置にセットする記録媒体を誤り、記録指令で指示されている記録媒体のサイズとは異なるサイズの記録媒体が記録ヘッドに搬送される場合がある。この場合、そのまま搬送された記録媒体に対して記録を実行すると、記録媒体やインクが無駄になったり、記録媒体からインクがはみ出して装置内を汚したりするという問題点があった。
【０００６】
そこで、異なるサイズの記録媒体が搬送された場合には、何らかの対策を採る事とし、その前提として記録指令で指示されている記録媒体のサイズとは異なるサイズの記録媒体が搬送されたかを簡単、且つ、短時間で検出、確認することが要請されている。ここで、上述した特許文献１に記載されている技術を利用して、搬送された記録媒体の幅を検出し、その搬送された記録媒体が記録指令で指示されているサイズの記録媒体かを判断することも考えられるが、上述した通り、上述した特許文献１に記載されている技術では、記録媒体幅を検出するのに多大な時間を要するという問題点があった。
【０００７】
本発明は上述した問題点を解決するためになされたものであり、記録指令で指示されている記録媒体のサイズとは異なるサイズの記録媒体が搬送されたかを簡単、且つ、短時間に確認することができるインクジェット記録装置および制御プログラムを提供することを目的としている。
【課題を解決するための手段】
【０００８】
この目的を達成するために、請求項１記載のインクジェット記録装置は、記録媒体に向けてインクを吐出する記録ヘッドと、その記録ヘッドを搭載して前記記録媒体と対向する位置を主走査方向に往復移動するキャリッジと、そのキャリッジに搭載され前記キャリッジの主走査方向上における何れかの位置を検出位置として、その検出位置と対向する位置に記録媒体が存在するかを検出する検出手段とを備えたものであって、記録を要求する記録媒体の大きさを示すサイズ情報を含む記録指令を取得する取得手段と、その取得手段で取得した記録指令に含まれているサイズ情報が示す記録媒体よりも主走査方向の幅が小さい記録媒体が通過し得る位置を除いて、前記何れかの位置から、前記サイズ情報が示す記録媒体が通過し得る位置と対向する位置を前記検出位置となる一点を設定する設定手段と、その設定手段で設定した検出位置に前記キャリッジを移動させる移動手段と、その移動手段でキャリッジを検出位置に移動させた後であって記録を開始する前に、その検出位置と対向する位置に記録媒体が存在するかを前記検出手段によって確認する確認手段とを備えている。
【０００９】
【００１０】
請求項２記載のインクジェット記録装置は、請求項１に記載のインクジェット記録装置において、前記サイズ情報が示す記録媒体の主走査方向の幅が葉書、往復葉書、各種封筒の何れかであるかを判断する第１判断手段を備え、前記設定手段は、その第１判断手段によって葉書、往復葉書、各種封筒の何れかであると判断された場合には、葉書、往復葉書、各種封筒の主走査方向における幅の中央位置と対向する位置を前記検出位置として設定する。
【００１１】
請求項３記載のインクジェット記録装置は、請求項１に記載のインクジェット記録装置において、前記設定手段によって設定された検出位置と対向する位置を通過し得ない記録媒体が搬送された結果、前記確認手段によって前記記録媒体が存在しないことが確認された場合に、前記記録指令に基づく記録媒体への記録を実行せずに、前記記録媒体を排出する排出手段を備えている。
【００１２】
請求項４記載のインクジェット記録装置は、請求項１から３のいずれかに記載のインクジェット記録装置において、前記取得手段は、前記記録指令に含まれている解像度を取得し、その取得手段で取得した解像度が第１の閾値より高いかを判断する解像度判断手段と、その解像度判断手段によって前記取得手段で取得した解像度が前記第１の閾値よりも高いと判断された場合に、前記設定手段と、前記移動手段と、前記確認手段とを実行して搬送される記録媒体の副走査方向における先端部を検出する先端検出手段とを備えている。
【００１３】
請求項５記載のインクジェット記録装置は、請求項４に記載のインクジェット記録装置において、前記検出手段によって主走査方向における記録媒体の位置を検出する幅検出手段を備え、前記解像度判断手段は、前記取得手段で取得した解像度が前記第１の閾値よりも高い第２の閾値より高いかを判断し、前記先端検出手段と前記幅検出手段とは、その解像度判断手段により前記取得手段で取得した解像度が第２の閾値よりも高いと判断された場合に実行される。
【００１４】
請求項６記載のインクジェット記録装置は、請求項５に記載のインクジェット記録装置において、前記解像度判断手段は、前記取得手段で取得した解像度が前記第２の閾値よりも高い第３の閾値より高いかを判断し、前記先端検出手段と前記幅検出手段とは、その解像度判断手段により前記取得手段で取得した解像度が第３の閾値よりも高いと判断された場合に全頁について実行され、前記第３の閾値よりも低いと判断された場合には一頁についてだけ実行される。
【００１５】
この目的を達成するために、請求項７記載の制御プログラムは、記録媒体に向けてインクを吐出する記録ヘッドと、その記録ヘッドを搭載して記録媒体と対向する位置を主走査方向に往復移動するキャリッジと、そのキャリッジに搭載され前記キャリッジの主走査方向上における何れかの位置を検出位置として、その検出位置と対向する位置に記録媒体が存在するかを検出する検出手段とを備えたインクジェット記録装置を制御するものであって、記録を要求する記録媒体の大きさを示すサイズ情報を含む記録指令を取得する取得ステップと、その取得ステップで取得した記録指令に含まれているサイズ情報が示す記録媒体よりも主走査方向の幅が小さい記録媒体が通過し得る位置を除いて、前記何れかの位置から、前記サイズ情報が示す記録媒体が通過し得る位置と対向する位置を前記検出位置となる一点を設定する設定ステップと、その取得ステップで取得した記録指令に含まれているサイズ情報に応じて異なる位置であって前記何れかの位置から、前記検出位置となる一箇所を設定する設定ステップと、その設定ステップで設定した検出位置に前記キャリッジを移動させる移動ステップと、その移動ステップで検出位置にキャリッジを移動させた後であって記録を開始する前に、その検出位置と対向する位置に記録媒体が存在するかを前記検出手段によって確認する確認ステップとを備えている。
【発明の効果】
【００１６】
請求項１記載のインクジェット記録装置によれば、記録を要求する記録媒体の大きさを示すサイズ情報を含む記録指令が取得手段によって取得されると、その取得手段で取得した記録指令に含まれているサイズ情報が示す記録媒体よりも主走査方向の幅が小さい記録媒体が通過し得る位置を除いて、キャリッジの主走査方向上の何れかの位置から、前記サイズ情報が示す記録媒体が通過し得る位置と対向する位置を前記検出位置となる一点として設定手段によって設定される。そして、その検出位置にキャリッジを移動手段で移動させた後であって記録を開始する前に、確認手段によって、その検出位置と対向する位置に記録媒体が存在するかを検出手段によって確認する。よって、搬送された記録媒体が記録指令で指示されている記録媒体かを判断するために、キャリッジを主走査方向に往復させ、搬送された記録媒体の両縁を検出する必要はなく、キャリッジを記録指令で指示されている記録媒体の大きさに応じて設定される検出位置に移動し、その設定された一箇所の検出位置で記録媒体が存在するかを確認すれば良い。従って、記録指令で指示されている記録媒体のサイズとは異なるサイズの記録媒体が搬送されたかを簡単、且つ、短時間に確認することができるという効果がある。
【００１７】
【００１８】
請求項２記載のインクジェット記録装置によれば、請求項１に記載のインクジェット記録装置の奏する効果に加え、第１判断手段によって葉書、往復葉書、各種封筒の何れかであると判断された場合、検出位置は、葉書、往復葉書、各種封筒の主走査方向における幅の中央位置と対向する位置に設定される。葉書、往復葉書、各種封筒は、肩隅に切手が貼付されていることあり、かかる切手と対向する位置が検出位置となって誤検出が発生するのを抑制することができるという効果がある。
【００１９】
請求項３記載のインクジェット記録装置によれば、請求項１に記載のインクジェット記録装置の奏する効果に加え、前記設定手段によって設定された検出位置と対向する位置を通過し得ない記録媒体が搬送された結果、確認手段によって記録媒体が存在しないことが確認された場合、記録指令に基づく記録媒体への記録は実行されずに、搬送された記録媒体は排出手段によって排出されるので、記録媒体に記録が実行されて記録媒体やインクが無駄になったり、記録媒体からインクがはみ出して装置内を汚したりするのを防止することができるという効果がある。
【００２０】
請求項４記載のインクジェット記録装置によれば、請求項１から３のいずれかに記載のインクジェット記録装置の奏する効果に加え、解像度判断手段によって取得手段で取得した記録指令で指示されている解像度が第１の閾値よりも高いと判断された場合には、先端検出手段として、前記設定手段と、前記移動手段と、前記確認手段とを実行して搬送される記録媒体の副走査方向における先端部を検出する。よって、記録指令で指示されている解像度が第１の閾値よりも高い場合には、記録ヘッドに対する記録媒体の搬送方向における記録媒体の位置を正確に把握でき、高品質な画像を記録媒体に記録することができる。一方、記録指令で指示されている解像度が第１の閾値よりも低い場合には、先端検出手段を実行しないことで、画像品質は劣るものの、より高速に記録媒体に画像を記録することができるという効果がある。
【００２１】
請求項５記載のインクジェット記録装置は、請求項４に記載のインクジェット記録装置の奏する効果に加え、解像度判断手段によって取得手段で取得した記録指令で指示されている解像度が第１の閾値よりも高い第２の閾値より高いと判断された場合には、先端検出手段に加え、幅検出手段によって前記検出手段で主走査方向における記録媒体の位置を検出する。よって、記録指令で指示されている解像度が第２の閾値よりも高い場合には、記録ヘッドに対する記録媒体の搬送方向における記録媒体の位置を一層正確に把握でき、一層高品質な画像を記録媒体に記録することができる。一方、記録指令で指示されている解像度が第２の閾値よりも低い場合には、幅検出手段を実行しないことで、画像品質は劣るものの、より高速に記録媒体に画像を記録することができるという効果がある。
【００２２】
請求項６記載のインクジェット記録装置は、請求項５に記載のインクジェット記録装置の奏する効果に加え、解像度判断手段によって取得手段で取得した記録指令で指示されている解像度が第２の閾値よりも高い第３の閾値より高いと判断された場合には、先端検出手段と、幅検出手段との両方が全頁について実行され、第３の閾値よりも低いと判断された場合には一頁についてだけ先端検出手段と、幅検出手段とが実行される。よって、記録指令で指示されている解像度が第３の閾値よりも高い場合には、全頁について高品質な画像を記録媒体に記録することができる。一方、記録指令で指示されている解像度が第３の閾値よりも低い場合には、第一頁以外の頁については、画像品質は劣る可能性はあるものの、より高速に記録媒体に画像を記録することができるという効果がある。
【００２３】
請求項７記載の制御プログラムによれば、記録を要求する記録媒体の大きさを示すサイズ情報を含む記録指令が取得ステップによって取得されると、その取得ステップで取得した記録指令に含まれているサイズ情報が示す記録媒体よりも主走査方向の幅が小さい記録媒体が通過し得る位置を除いて、キャリッジの主走査方向上の何れかの位置から、前記サイズ情報が示す記録媒体が通過し得る位置と対向する位置を前記検出位置となる一点として設定ステップによって設定される。そして、その検出位置にキャリッジを移動ステップで移動させた後であって記録を開始する前に、確認ステップによって、その検出位置と対向する位置に記録媒体が存在するかを検出手段によって確認する。よって、搬送された記録媒体が記録指令で指示されている記録媒体かを判断するために、キャリッジを主走査方向に往復させ、搬送された記録媒体の両縁を検出する必要はなく、キャリッジを記録指令で指示されている記録媒体の大きさに応じて設定される検出位置に移動し、その設定された一箇所の検出位置で記録媒体が存在するかを確認すれば良い。従って、記録指令で指示されている記録媒体のサイズとは異なるサイズの記録媒体が搬送されたかを簡単、且つ、短時間に確認することができるという効果がある。
【発明を実施するための最良の形態】
【００２４】
以下、本発明の好ましい実施の形態について、添付図面を参照して説明する。図１は、本発明の実施形態である複合機１の外観構成を示す斜視図である。複合機１は、ファクシミリ機能、プリンタ機能、スキャナ機能、コピー機能などの各種機能を備え、特に、プリンタ機能を実行する場合に、記録指令で指示されている記録媒体のサイズとは異なるサイズの記録媒体が搬送されたかを簡単、且つ、短時間に確認することができるものである。
【００２５】
複合機１におけるハウジング２の前側には、開口部２ａが開口されており、その開口部２ａには記録媒体を積層状態で収納する下段トレイ３と、その下段トレイ３の上方にスライド可能に設置され記録媒体を積層状態で収納する上段トレイ４とが矢印Ａ方向から差し込み可能に構成されている。
【００２６】
各トレイ３，４に収納されている記録媒体は、ハウジング２の内部に搭載されているインクジェット記録ヘッドに搬送され、インクジェット記録ヘッドによって記録がされた後に、上段トレイ４の上面に排紙される。即ち、上段トレイ４は、記録済の記録媒体を保持する排紙台としても機能するものであり、上段トレイ４には、記録済みの記録媒体が上段トレイ４の上面から落下するのを防止するストッパ４ａが反矢印Ａ方向に引き出し可能に設けられている。
【００２７】
ハウジング２の上部には、コピー機能やファクシミリ機能における原稿に記載されている画像を読み取る画像読取装置５が配置されている。画像読取装置５は図示しない枢軸部を介してハウジング２の一側端に対して上下開閉回動可能に構成されている。また、画像読取装置５の上面は原稿載置用のガラス板で構成されており、このガラス板は、画像読取装置５の後端に対して枢軸を中心に上下回動可能な原稿カバー体６で覆われている。原稿カバー体６を上側に開けてガラス板の上に原稿を載置し、ガラス板の下方において主走査方向に往復移動する原稿読取り用のスキャナ（例えばＣＩＳ：Contact ImageSensor）に
よって原稿の画像が読み取られる。
【００２８】
ハウジング２の上面であって原稿カバー体６の前方には、各種操作ボタンを備えた操作パネル部７と、操作手順や実行中の処理の状態を表示するための液晶表示装置８とが設けられている。各種操作ボタンとしては、スタートボタンや、ストップボタンなどを含み、これらの操作ボタンを押下することにより、各種操作が行われ、複合機置１の設定状態や各種操作メッセージなどが必要に応じて表示される。
【００２９】
また、ハウジング２の前面であって、開口部２ａの上方には、外部メモリを挿入するための外部メモリ挿入部１１が備えられている。外部メモリとは、例えば、コンパクトフラッシュ（登録商標）、スマートメディア（登録商標）、メモリスティック（登録商標）、ＳＤカード（登録商標）、ｘＤ（登録商標）等が該当する。この外部メモリ挿入部１１へ挿入された外部メモリに記憶されたデータは、複合機１の内部メモリ読み込まれ、インクジェット記録ヘッドによって記録媒体に記録される。
【００３０】
次に、図２乃至図４を参照して、ハウジング２の内部構造について説明する。図２及び図３は、ハウジング２の内部構造を示す略断面図であり、特に、図２は上段トレイ４が下段トレイ３上にセットされている状態、図３は上段トレイ４が下段トレイ３から取除かれている状態を示している。図４は、主に、給紙装置Ｋの外観構成を示す斜視図であり、図４では、図２，図３に示すキャリッジ２０、インクジェット記録ヘッド２１の図示は省略はしてある。
【００３１】
図２，３に示すように、複合機１のハウジング２内には、主に、給紙装置Ｋの一部である給紙ローラ１０と、給紙ローラ１０によって給紙された記録媒体をＵ字状に搬送する搬送経路Ｈを形成する搬送ガイド体１４と、搬送経路Ｈを介して搬送される記録媒体を搬送する一対の搬送ローラ２３，２３と、その搬送ローラ２３，２３によって搬送される記録媒体の一方の面を支持するプラテン２２と、そのプラテン２２と所定間隔を空けた位置を主走査方向に往復移動するキャリッジ２０と、そのキャリッジ２０に搭載され記録媒体の他方の面に対してインクを吐出するインクジェット記録ヘッド２１と、そのインクジェット記録ヘッド２１によって画像が記録された記録媒体を排出する排紙ローラ６２とが設けられている。
【００３２】
各トレイ３，４に収納されている記録媒体は、給紙ローラ１０によって一枚ずつ給紙され、搬送経路Ｈを通過して、一対の搬送ローラ２３，２３によって、インクジェット記録ヘッド２１とプラテン２２との間に搬送される。そして、インクジェット記録ヘッド２１によって記録がなされた後に、排紙ローラ６２によって上段トレイ４の上面に排紙される。
【００３３】
給紙装置Ｋには、主に、下段トレイ３と、上段トレイ４と、上段トレイ４の上方に配設される給紙ローラ１０と、給紙ローラ１０が一端に取着され振り子状に回動可能に支持されているアーム２４と、給紙ローラ１０とアーム２４とを各トレイ３，４に収納されている記録媒体の面と交差する方向に移動させる移動機構Ｉとが設けられている。
【００３４】
下段トレイ３は、図４に示すように、上面が開放された略箱状に形成されており、主に、底壁１５と、その底壁１５の周縁部から立設する側壁１６，１６、側壁１９、傾斜壁１７（図２，３参照）とによって構成されている。
【００３５】
傾斜壁１７は、図２，３に示すように、トレイ３，４に積層状態にある記録媒体を一枚ずつ分離するためのものであり、下段トレイ３から上段トレイ４まで連続して延び、各トレイ３，４内に収納された記録媒体の先端部と当接し、記録媒体の搬送方向に向かって各トレイ３，４に収納されている記録媒体の面と鈍角をなすように立設されている。
【００３６】
また、下段トレイ３の内部には、両サイドから中央に向かって同一量ずつ移動可能に構成され、下段トレイ３に収納される記録媒体を幅方向にガイドする図示しないスライドガイドが備えられており、このスライドガイドによって各サイズの記録媒体の中心位置が揃えられるようになっている。
【００３７】
上段トレイ４は、図４に示すように、扁平な板状に形成され、下段トレイ３の側壁１６，１６上にスライド可能に設置されている。上段トレイ４に収納されている記録媒体に記録をする場合には、上段トレイ４を奥方（図４の左側）に押し込み、下段トレイ３に収納されている記録媒体に記録をする場合には、上段トレイ４を下段トレイ３から取り除いたり、手前（図４の右側）に引いたりして使用する。
【００３８】
上段トレイ４には、奥側の縁部から所定幅で手前側に延びる凹部９が凹設されており、この凹部９に記録媒体が積層収納される。この凹部９の幅は、下段トレイ３の幅よりも小さく形成されている。即ち、本実施例では、下段トレイ３には上段トレイ４に収納する記録媒体よりも大きいサイズの記録媒体として、例えばレター、Ａ４、Ｂ５、Ｂ６等のサイズの記録媒体が収納される。一方、上段トレイ４にはＬサイズ、ポストカード、葉書、４×６インチ等の小さいサイズの記録媒体が収納される。
【００３９】
また、上段トレイ４に収納される記録媒体も各記録媒体の搬送方向における中心線が下段トレイ３に収納される記録媒体と上下に重なるように収納され、上段トレイ４に収納される記録媒体と、下段トレイ３に収納される記録媒体とは、上下で重なる同じ中心位置で搬送されることになる。
【００４０】
各トレイ２，３の上方に設置されている給紙ローラ１０は、図２，図３に示すように、図中時計回りに回転可能にアーム２４の一端に軸支されている。給紙ローラ１０は、各トレイ３，４に収納されている記録媒体のうち、最上層の記録媒体に接触して、その最上層の記録媒体を傾斜壁１７に向けて給紙する。給紙ローラ１０を軸支するアーム２４には、図示しない複数個の歯車が直線状に並べて設置されており、この複数個の歯車を介して給紙ローラ１０は回転駆動する。
【００４１】
一端に給紙ローラ１０を軸支するアーム２４は、その他端が、図４に示すように、各トレイ３，４の上方において各トレイ３，４の幅方向に橋架された第１シャフト２５に回動可能に支持されている。
【００４２】
また、アーム２４の他端からは突出片２４ａが突設されている。突出片２４ａは、アーム２４が第１シャフト２５を中心に反時計回りに回動すると、第１シャフト２５よりも斜め上方の位置に第１シャフト２５と平行に延びる第２シャフト２６に衝突するように突設されている。よって、この突出片２４ａによって、アーム２４は反時計回りの回動範囲が規制されている。
【００４３】
尚、アーム２４は、各カセット３，４をセットする場合には、図示しない機構により時計と反対回りに回転して、各カセット３，４が円滑にセットできるように構成されている。
【００４４】
アーム２４の側方には、第１シャフト２５と第２シャフト２６とが貫通するブラケット４９が設置されており、そのブラケット４９の各カセット３，４側の端部には、各カセット３，４に収納されている記録媒体を検出する記録媒体検出センサ５０（図２，３参照）が設置されている。
【００４５】
記録媒体検出センサ５０は、図２，３に示すように、Ｖ字状に形成され、その屈曲点が各トレイ３，４に収納されている最上層の記録媒体の面に接触し、一端が振り子に支持されている接触子を備えている。
【００４６】
そして、記録媒体検出センサ５０は、その接触子の一端と屈曲点とを結ぶ部分と、記録媒体とのなす角度が所定角度以内である場合に「ＯＮ」信号を出力し、所定角度を超えた場合に「ＯＦＦ」信号を出力する。尚、記録媒体検出センサ５０は「ＯＮ」信号を出力している状態の場合には、給紙ローラ１０が記録媒体に接触している状態になるような位置に設置されているものとする。
【００４７】
アーム２４と、給紙ローラ１０とを各トレイ３，４に収納されている記録媒体の面と交差する方向に一体に移動させる移動機構Ｉには、図４に示すように、各カセット３，４を幅方向に挟む位置に設置され傾斜壁１７と平行に延びるギヤ（図示せず）が形成された一対のラックギヤ２７ａ，２７ｂと、各ラックギヤ２７ａ，２７ｂと噛合して各ラックギヤ２７ａ，２７ｂに沿って移動するピニオンギヤ２８ａ，２８ｂとが設けられている。
【００４８】
各ラックギヤ２７ａ，２７ｂは、各カセット３，４を幅方向に挟むように本体内部から立設する板状に形成された一対の支持プレート２９ａ，２９ｂに固着されている。具体的には、ラックギヤ２７ａは、各カセット３，４が設置される方とは反対側の支持プレート２９ａの面に固着され、ラックギヤ２７ｂは、各カセット３，４が設置される方の支持プレート２９ｂの面に固着されている。
【００４９】
この支持プレート２９ａには、傾斜壁１７（各ラックギヤ２７ａ，２７ｂ）と平行に延びる長孔３０ａが穿設されおり、また、ラックギヤ２７ａが固着されている面とは反対側の面には連結プレート３１ａが設置されている。同様に、支持プレート２９ｂにも、傾斜壁１７（各ラックギヤ２７ａ，２７ｂ）と平行に延びる長孔３０ｂが穿設されおり、また、ラックギヤ２７ｂが固着されている面とは反対側の面に連結プレート３１ｂが設置されている。
【００５０】
この連結プレート３１ａ，３１ｂには、アーム２４を支持する第１シャフト２５が連結されており、第１シャフト２５は、連結プレート３１ａに設置されているＬＦ（搬送）モータ３２と図示しないギヤ機構を介して連結されている。そして、このＬＦモータ３２を駆動することで、その駆動力が第１シャフト２５、アーム２４に設置されている複数の歯車を介して給紙ローラ１０に伝達される。
【００５１】
また、支持プレート２９ａに穿設された長孔３０ａ、連結プレート３１ａ、支持プレート２９ｂに穿設された長孔３０ｂ、連結プレート３１ｂには、第２シャフト２６が貫通しており、各ピニオンギヤ２８ａ，２８ｂは、この第２シャフト２６に嵌合されている。そして、連結プレート３１ｂを貫通した第２シャフト２６の一端には、連結プレート３１ｂに設置されている昇降モータ３３と図示しないギヤ機構を介して連結されている。
【００５２】
よって、この移動機構Ｉによれば、昇降モータ３３を駆動すると、第２シャフト２６に嵌合されている一対のピニオンギヤ２８ａ，２８ｂが、ラックギヤ２７ａ，２７ｂに沿って移動し、これに連動して、連結プレート３１ａ，３１ｂ、および、第１シャフト２５がラックギヤ２７ａ，２７ｂに沿って移動する。その結果、第１シャフト２５に支持されているアーム２４と、給紙ローラ１０とが一体に、ラックギヤ２７ａ，２７ｂに沿って移動する。
【００５３】
即ち、ラックギヤ２７ａ，２７ｂは、各トレイ３，４に収納されている記録媒体の面と交差する方向（傾斜壁１７と平行）に延びているので、この移動機構Ｉによれば、アーム２４と、給紙ローラ１０とを一体に各トレイ３，４に収納されている記録媒体の面と交差する方向（傾斜壁１７と平行）に移動させることができる。
【００５４】
これにより、各カセット３，４に収納されている記録媒体が消費されていった場合であっても、記録媒体の種別に応じて、アーム２４と記録媒体との角度を適正な角度になるように設定することができる。従って、各カセット３，４に収納されている記録媒体の量、種別に関わらず、給紙性能を安定化させることができる。
【００５５】
キャリッジ２０およびインクジェット記録ヘッド２１を搬送方向上流側と搬送方向下流側との間で挟む搬送ローラ２３及び排紙ローラ６２は、ＬＦモータ７１を駆動源として駆動され、搬送ローラ２３及び排紙ローラ６２の駆動は同期しており、画像記録時に間欠駆動される。これにより、記録媒体は所定の改行幅で送られながらインクジェット記録ヘッド２１によって画像記録がなされる。
【００５６】
キャリッジ２０は、ＣＲモータ７３（図５参照）を駆動源とし、例えばベルト駆動機構を介してスライドされる。なお、複合機１の内部には、インクジェット記録ヘッド２１とは独立してインクカートリッジ（図示せず）が配置されている。このインクカートリッジからインクチューブを通じてインクがインクジェット記録ヘッド２１に供給される。そして、キャリッジ２０が往復動される間に、インクジェット記録ヘッド２１からインクが微小なインク滴として吐出され、これにより、プラテン２２上を搬送される記録媒体に画像が記録される。
【００５７】
複合機１０の本体フレームには、キャリッジ２０の位置を検出するリニアエンコーダ７７（図５参照）が設けられている。このリニアエンコーダ７７のエンコーダストリップが主走査方向に沿って配設されている。エンコーダストリップは、光を透過させる透光部及び光を遮断する遮光部を備えており、その透光部及び遮光部は、エンコーダストリップの長手方向に所定ピッチで交互に配置され所定のパターンを形成している。
【００５８】
一方、キャリッジ２０には、リニアエンコーダ７７に対応した透過型センサである図示しない光学センサが搭載されている。この光学センサは、エンコーダストリップに対応する位置に設けられており、キャリッジ２０と共にエンコーダストリップの長手方向に沿って往復動し、その往復動の際にエンコーダストリップのパターンを検出するものである。これにより、キャリッジ２０の主走査方向上における位置を検出することができる。
【００５９】
さらに、キャリッジ２０には、プラテン２２上の記録媒体の存在の有無を検出するメディアセンサ５１（図５参照）が設けられている。メディアセンサ５１は、光源及び受光素子を備えており、光源から発せられた光は、プラテン２２上に搬送された記録媒体に照射される一方、プラテン２２上まで記録媒体が搬送されていない場合にはプラテン２２に照射される。そして、記録媒体又はプラテン２２に照射された光は反射され、その反射光を受光素子が受光しその受光量に応じた出力を行う。これにより、メディアセンサ５１と対向する主走査方向上における所定の位置に記録媒体が存在しているかを検出することができる。尚、本実施形態では、このメディアセンサ５１が主走査方向上における所定の位置で記録媒体の存在を検出する位置を検出位置と称す。
【００６０】
図５は、複合機１の電気的構成を示すブロック図である。複合機１は、ＣＰＵ（Ｃｅｎｔｒａｌ  Ｐｒｏｃｅｓｓｉｎｇ  Ｕｎｉｔ）６５、ＲＯＭ（Ｒｅａｄ  Ｏｎｌｉ  Ｍｅｍｏｒｙ）６６、ＲＡＭ（Ｒａｎｄｏｍ  Ａｃｃｓｅｓｓ  Ｍｅｍｏｒｙ）６７、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）６８を主とするマイクロコンピュータとして構成されており、バス６９を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）７０に接続されている。
【００６１】
ＲＯＭ６６には、複合機１の各種動作を制御するためのプログラム等が格納されており、図６で説明する印刷処理を実行する印刷処理プログラム６６ａが格納されている。ＲＡＭ６７は、ＣＰＵ６５が上記プログラムを実行する際に用いる各種データを一時的に記録する記憶領域又は作業領域として使用される。
【００６２】
ＲＡＭ６７には印刷指令メモリ６７ａが割り当てられており、印刷指令メモリ６７ａには、図６で説明する印刷処理を実行する場合に、複合機１に出力される記録指令の内容が一時的に記憶される。ＥＥＰＲＯＭ６８は、複合機１の電源オフ後も保持すべき設定やフラグ等が格納される不揮発性のメモリである。
【００６３】
ＡＳＩＣ７０は、ＣＰＵ６５からの指令に従い、昇降モータ３３に通電する相励磁信号等を生成して、該信号を昇降モータ３３の駆動回路８２に付与し、該駆動回路８２を介して駆動信号を昇降モータ３３に通電することにより、昇降モータ３３の回転制御を行っている。
【００６４】
駆動回路８２は、移動機構Ｉに接続された昇降モータ３３を駆動させるものであり、ＡＳＩＣ７０からの出力信号を受けて、昇降モータ３３を回転するための電気信号を形成する。該電気信号を受けて昇降モータ３３が回転し、該昇降モータ３３の回転力が、移動機構Ｉのピニオンギヤ２８ａ，２８ｂへ伝達されことによりアーム２４と給紙ローラ１０とが、ピニオンギヤ２８ａ，２８ｂに連動して移動する。
【００６５】
駆動回路７５は、インクジェット記録ヘッド２０から所定のタイミングでインクを記録媒体に対して選択的に吐出させるものであり、ＣＰＵ６５から出力される駆動制御手順に基づいてＡＳＩＣ７０において生成された出力信号を受け、インクジェット記録ヘッド２１を駆動制御する。
【００６６】
ＡＳＩＣ７０は、ＣＰＵ６５からの指令に従い、ＣＲ（キャリッジ）モータ７３に通電する相励磁信号等を生成して、該信号をＣＲモータ７３の駆動回路７４に付与し、該駆動回路７４を介して駆動信号をＣＲモータ７３に通電することにより、ＣＲモータ７３の回転制御を行っている。
【００６７】
駆動回路７４は、キャリッジ２０に接続されたＣＲモータ７３を駆動させるものであり、ＡＳＩＣ７０からの出力信号を受けて、ＣＲモータ７３を回転するための電気信号を形成する。該電気信号を受けてＣＲモータ７３が回転し、該ＣＲモータ７３の回転力が図示しないベルト駆動機構を介して、キャリッジ２０へ伝達されことによりキャリッジ２０が往復動される。このようにして、キャリッジ２０の往復動が制御される。
【００６８】
ＡＳＩＣ７０は、ＣＰＵ６５からの指令に従い、ＬＦモータ３２に通電する相励磁信号等を生成して、該信号をＬＦモータ３２の駆動回路７２に付与し、該駆動回路７２を介して駆動信号をＬＦモータ３２に通電することにより、ＬＦモータ３２の回転制御を行っている。
【００６９】
駆動回路７２は、給紙ローラ１０、搬送ローラ２３、排紙ローラ６２に接続されたＬＦモータ３２を駆動させるものであり、ＡＳＩＣ７０からの出力信号を受けて、ＬＦモータ３２を回転するための電気信号を形成する。該電気信号を受けてＬＦモータ３２が回転し、該ＬＦモータ３２の回転力が駆動機構を介して、給紙ローラ１０、搬送ローラ２３、排紙ローラ６２へ伝達される。
【００７０】
その他、ＡＳＩＣ７０には、各トレイ３，４に収納されている記録媒体を検出する記録媒体検出センサ５０、キャリッジ２０に搭載され対向する位置に記録媒体が存在するかを検出するメディアセンサ５１、搬送ローラ２３の回転量を検出するためのロータリエンコーダ７６、キャリッジ２０の移動量を検出するためのリニアエンコーダ７７が接続されている。
【００７１】
また、ＡＳＩＣ７０には、スキャナ部１２や、複合機１の操作指示を行うための操作パネル部７、外部メモリが挿入される外部メモリ挿入部１１、パソコン等の外部機器とパラレルケーブルやＵＳＢケーブルを介してデータの送受信を行うためのパラレルインタフェース７８及びＵＳＢインタフェース７９が接続されている。さらに、ファクシミリ機能を実現するためのＮＣＵ（Ｎｅｔｗｏｒｋ  Ｃｏｎｔｒｏｌ  Ｕｎｉｔ）８０やモデム（ＭＯＤＥＭ）８１が接続されている。
【００７２】
次に、図６のフローチャートを参照して、この複合機１で実施される印刷処理について説明する。図６は、印刷処理を示すフローチャートです。この印刷処理は、複合機１に搭載されているプリンタ機能として実行されるものであり、例えば、複合機１と接続されているパーソナルコンピュータから出力される記録指令に基づいて実行される処理である。
【００７３】
この処理では、まず、パーソナルコンピュータから記録指令が出力されると、初期処理を行う（Ｓ１）。この初期処理では、各種設定、フラグ等を初期化すると共に、出力された記録指令を記録指令メモリ６７ａに記憶する。記録指令には、記録をしようとする記録媒体の大きさを示すサイズ情報、記録しようとする画像の解像度、記録部数、レイアウト等が含まれている。初期処理が終了すると（Ｓ１）、記録指令で指示されている指示に応じた記録データを作成し、１頁目の印刷を開始する（Ｓ２）。
【００７４】
まずは、記録指令で指示されている解像度が６００×６００ｄｐｉよりも低いかを判断し、低ければ（Ｓ３：Ｙｅｓ）、後述する先端検出処理（Ｓ４）、幅検出処理（Ｓ９）を実行することなく、１頁目の印刷を実行する（Ｓ１０）。これにより、記録指令で指示されている解像度が６００×６００ｄｐｉよりも低い場合には、記録ヘッドに対する搬送方向、主走査方向に対する記録媒体の位置を正確に把握することができず、画像品質は劣るものの、後述する先端検出処理（Ｓ４）、幅検出処理（Ｓ９）を実行しない分、高速に画像を記録することができる。
【００７５】
一方、Ｓ３において、解像度が６００×６００ｄｐｉよりも高いと判断された場合には（Ｓ３：Ｎｏ）、後述する先端検出処理を実行し（Ｓ４）、キャリッジ２０と対向する位置に搬送される記録媒体の先端を検出する。そして、その先端検出処理によって（Ｓ４）、記録媒体の先端が検出されたかを確認する（Ｓ５）。
【００７６】
その結果、記録媒体の先端が検出されなかった場合には（Ｓ５：Ｎｏ）、記録指令で指示されている記録媒体のサイズとは異なるサイズの記録媒体が搬送されたとして、エラー情報を表示する（Ｓ１２）。このエラー情報は、例えば、液晶表示装置８に「セットされている記録用紙のサイズが正しくありません。正しいサイズの記録用紙をセットして下さい」等のメッセージを表示する。そして、搬送された記録媒体に対して記録を実行するこなく、搬送された記録媒体を排出する排出処理を実行し（Ｓ１３）、本処理を終了する。
【００７７】
これにより、搬送された記録媒体には記録がされることなく、装置外に排出されるので、記録媒体に記録が実行されて記録媒体やインクが無駄になったり、記録媒体からインクがはみ出して装置内を汚したりするのを防止することができる。
【００７８】
一方、記録媒体の先端が検出されたことが確認された場合には（Ｓ５：Ｙｅｓ）、次に、解像度が６００×６００ｄｐｉであるかを判断し（Ｓ６）、解像度が６００×６００ｄｐｉでなければ（Ｓ６：Ｎｏ）、解像度が６００×１２００ｄｐｉまたは１２００×１２００ｄｐｉであるかを判断する（Ｓ７）。
【００７９】
解像度が６００×１２００ｄｐｉまたは１２００×１２００ｄｐｉであれば（Ｓ７：Ｙｅｓ）、１頁目かを判断し（Ｓ８）、１頁目であれば（Ｓ８：Ｙｅｓ）、幅検出処理を実行する（Ｓ９）。
【００８０】
また、Ｓ７において、解像度が６００×１２００ｄｐｉまたは１２００×１２００ｄｐｉでない（Ｓ７：Ｎｏ）、即ち、指示されている解像度が６００×１２００ｄｐｉまたは１２００×１２００ｄｐｉよりも高解像度であれば、Ｓ８をスキップして、幅検出処理を実行する（Ｓ９）。
【００８１】
即ち、この幅検出処理は、記録指令で指示されている解像度が６００×１２００ｄｐｉまたは１２００×１２００ｄｐｉであって１頁目の場合と、記録指令で指示されている解像度が６００×１２００ｄｐｉまたは１２００×１２００ｄｐｉよりも高解像度の場合に実行される処理である。
【００８２】
幅検出処理は、キャリッジ２０を主走査方向に移動させ、キャリッジ２０に搭載されているメディアセンサ５１でキャリッジ２０と対向する位置に搬送された記録媒体の主走査方向における位置（幅）を検出する処理である。
【００８３】
よって、記録指令で指示されている解像度が６００×１２００ｄｐｉまたは１２００×１２００ｄｐｉであって１頁目の場合と、記録指令で指示されている解像度が６００×１２００ｄｐｉまたは１２００×１２００ｄｐｉよりも高解像度の場合には、記録ヘッドに対する主走査方向における記録媒体の位置が正確に把握され、高品質な画像を記録媒体に記録することができる。
【００８４】
一方、Ｓ６の処理のおいて解像度が６００×６００ｄｐｉであると判断された場合（Ｓ６：Ｙｅｓ）、および、Ｓ８の処理において１頁目でない、２頁目以降であると判断された場合には（Ｓ８：Ｎｏ）、この幅検出処理（Ｓ９）を実行することなく、１頁目を印刷する（Ｓ１０）。
【００８５】
これにより、記録指令で指示されている解像度が６００×６００ｄｐｉである場合と、記録指令で指示されている解像度が６００×１２００ｄｐｉまたは１２００×１２００ｄｐｉであって２頁目以降の場合とは、上述した場合に比べて記録ヘッドに対する主走査方向における記録媒体の位置が正確に把握できないものの、その分、高速に画像を記録媒体に記録することができる。
【００８６】
そして、１頁目の印刷を実行し（Ｓ１０）、全頁が終了したかを判断し（Ｓ１１）、終了していなければ（Ｓ１１：Ｎｏ）、Ｓ３からの処理を繰り返し、終了していれば（Ｓ１１：Ｙｅｓ）、本処理を終了する。
【００８７】
次に、図７、図８を参照して、図６のフローチャートに示すＳ４で実行される先端検出処理について説明する。図７は先端検出処理のフローチャートであり、図８は、サイズが異なる記録媒体Ｐ１，Ｐ２，Ｐ３と検出位置Ｋ１，Ｋ２，Ｋ３との関係を示す図である。
【００８８】
尚、図８では、図中左右方向をキャリッジ２０が往復移動する主走査方向、図中下方から上方に向かう方向を記録媒体Ｐの搬送方向である副走査方向として図示している。また、各記録媒体の副走査方向における中心線が通過する中央位置をＣ、各記録媒体の搬送方向上流側の先端をＳとして図示している。
【００８９】
この先端検出処理は、副走査方向に搬送される記録媒体の先端Ｓがキャリッジ２０に搭載されているメディアセンサ５１と対向する位置に存在するかを検出する処理である。これにより、記録指令で指示されているサイズの記録媒体とは異なる記録媒体が搬送されたかを簡単、且つ、短時間に検出することができる。
【００９０】
図７のフローチャートに示すように、この処理では、まず、記録指令で指示されている記録媒体のサイズを示すサイズ情報が４×６インチ以下またはＡ６または葉書、往復葉書、各種封筒かを判断する（Ｓ２０）。記録指令で指示されている記録媒体のサイズ情報が、４×６インチ以下またはＡ６または葉書、往復葉書、各種封筒であれば（Ｓ２０：Ｙｅｓ）、中央位置Ｃと対向する位置を検出位置Ｋ１として、その検出位置Ｋ１にメディアセンサ５１が位置するようにキャリッジ２０を移動し、その検出位置Ｋ１と対向する位置に記録媒体が存在するかをメディアセンサ５１によって検出する（Ｓ２１）。
【００９１】
具体的には、図８に示すように、搬送される記録媒体Ｐ１，Ｐ２，Ｐ３は、いずれのサイズの記録媒体Ｐ１，Ｐ２，Ｐ３であっても、各記録媒体Ｐ１，Ｐ２，Ｐ３の副走査方向における中心線が中央位置Ｃと一致するように搬送される。即ち、全てサイズの記録媒体が検出位置Ｋ１を通過するので、検出位置Ｋ１では記録指令で指示されているサイズの記録媒体と異なる記録媒体が搬送されたかを検出することはできない。
【００９２】
一方、葉書、往復葉書、各種封筒等は、その肩部に切手が貼付されている可能性があり、記録指令で指示されている記録媒体が葉書、往復葉書、各種封筒等である場合、検出位置を検出位置Ｋ１に設定することで、メディアセンサ５１が切手部分を検出して、誤検出が発生するのを防止することができる。
【００９３】
再び、図７に戻り、説明を続ける。記録指令で指示されているサイズ情報が４×６インチ以下またはＡ６または葉書、往復葉書、各種封筒でなければ（Ｓ２０：Ｎｏ）、次に、サイズ情報が４×６インチよりも大きくＬｅｔｔｅｒ幅以下かを判断する（Ｓ２２）。サイズ情報が４×６インチよりも大きくＬｅｔｔｅｒ幅以下であれば（Ｓ２２：Ｙｅｓ）、中央位置Ｃから主走査方向に６０ｍｍ離れた位置を検出位置Ｋ２として、その検出位置Ｋ２にメディアセンサ５１が位置するようにキャリッジ２０を移動し、その検出位置Ｋ２と対向する位置に記録媒体が存在するかをメディアセンサ５１によって検出する（Ｓ２３）。
【００９４】
具体的には、図８に示すように、４×６インチの記録媒体の全幅は約１０２ｍｍなので、４×６インチの記録媒体が通過し得る中央位置Ｃからの距離は、全幅の約１／２である約５１ｍｍの位置である。一方、本実施形態では中央位置Ｃから主走査方向に（図中左に）６０ｍｍの位置を検出位置Ｋ２として設定する。
【００９５】
よって、４×６インチの記録媒体よりも全幅が小さい記録媒体Ｐ１については、検出位置Ｋ２と対向する位置を通過せず、メディアセンサ５１は記録媒体Ｐ１を検出することができないことになる。
【００９６】
例えば、４×６インチの記録媒体よりも全幅が小さい記録媒体Ｐ１としては、Ｌサイズ（全幅約８９ｍｍ）、ポストカード（全幅約９７ｍｍ）、葉書（全幅約１００ｍｍ）が該当する。これらの記録媒体Ｐ１は、いずれも４×６インチの記録媒体よりも全幅が小さく、当然に中央位置Ｃからの幅が６０ｍｍより小さいので、検出位置Ｋ２と対向する位置は通過せず、メディアセンサ５１は記録媒体を検出することができない。
【００９７】
即ち、この検出位置Ｋ２において、記録媒体が検出されない場合、サイズ情報では４×６インチよりも大きくＬｅｔｔｅｒ幅以下である記録媒体が指示されているにもかかわらず、４×６インチよりも小さいサイズの記録媒体Ｐ１が搬送されたと推認できるので、上述した通り、記録媒体に画像を記録をすることなく、記録媒体を装置外に排出する。
【００９８】
このように、記録指令では４×６インチよりも大きくＬｅｔｔｅｒ幅以下である記録媒体のサイズが指示されている場合、その記録を実行する前に、キャリッジ２０を検出位置Ｋ２に移動し、その検出位置Ｋ２において記録媒体が存在するかを検出し、確認することで、少なくとも搬送された記録媒体が記録指令で指示されている記録媒体よりも小さい記録媒体でないかを簡単、且つ、短時間に確認することができる。
【００９９】
再び、図７に戻り、説明を続ける。サイズ情報が４×６インチよりも大きくＬｅｔｔｅｒ幅以下でなければ（Ｓ２２：Ｎｏ）、中央位置Ｃから主走査方向に１１５ｍｍ離れた位置を検出位置Ｋ３として、その検出位置Ｋ３にメディアセンサ５１が位置するようにキャリッジ２０を移動し、その検出位置Ｋ３と対向する位置に記録媒体が存在するかをメディアセンサ５１によって検出する（Ｓ２４）。
【０１００】
具体的には、図８に示すように、Ｌｅｔｔｅｒサイズの記録媒体の全幅は約２１６ｍｍなので、Ｌｅｔｔｅｒサイズの記録媒体が通過し得る中央位置Ｃからの距離は、その全幅の１／２である約１０８ｍｍの位置である。一方、本実施形態では中央位置Ｃから図中左に１１５ｍｍの位置を検出位置Ｋ３として設定する。よって、Ｌｅｔｔｅｒサイズの記録媒体よりも全幅が小さい記録媒体Ｐ１，Ｐ２については、検出位置Ｋ３と対向する位置を通過せず、メディアセンサ５１は記録媒体を検出することができない。
【０１０１】
例えば、Ｌｅｔｔｅｒサイズの記録媒体よりも全幅が小さい記録媒体としては、上述したＬサイズ、ポストカード、葉書に加え、２Ｌ（全幅約１２７ｍｍ）、Ｂ６（全幅約１２８ｍｍ）、四六判（全幅約１２８ｍｍ）、Ａ５（全幅約１４８ｍｍ）、Ｂ５（全幅約１８２ｍｍ）、Ａ４（全幅約２１０ｍｍ）リーガル（全幅約２１６ｍｍ）が該当する。これらの記録媒体は、いずれも全幅がＬｅｔｔｅｒサイズの記録媒体の全幅約２１６ｍｍよりも小さく、当然に、中央位置Ｃからの幅が１１５ｍｍよりも小さいので、検出位置Ｋ３と対向する位置は通過せず、メディアセンサ５１は記録媒体を検出することができない。
【０１０２】
即ち、この検出位置Ｋ３において、記録媒体が検出されない場合、サイズ情報ではＬｅｔｔｅｒサイズよりも大きい記録媒体が指示されているにもかかわらず、Ｌｅｔｔｅｒサイズよりも小さいサイズの記録媒体が搬送されたとして、上述した通り、記録媒体に画像を記録をすることなく、記録媒体を装置外に排出する。
【０１０３】
このように、記録指令でＬｅｔｔｅｒサイズよりも大きい記録媒体のサイズが指示されている場合、その記録を実行する前に、キャリッジ２０を検出位置Ｋ３に移動し、その検出位置Ｋ３において記録媒体が存在するかを検出し、確認することで、少なくとも搬送された記録媒体が記録指令で指示されている記録媒体よりも小さい記録媒体でないかを簡単、且つ、短時間に確認することができる。
【０１０４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１０５】
本実施形態では、記録媒体の大きさに応じて、検出位置を３箇所に設定する場合について説明したが、検出位置の設定する箇所としては、かかる３箇所に限定されることはなく、各記録媒体のサイズ毎に３箇所以上設けるように構成しても良い。かかる場合には、記録指令で指示されている記録媒体とは異なる記録媒体が搬送されたかをより正確に確認することができる。
【０１０６】
また、本実施形態では、記録指令で指示されている解像度に応じて、記録媒体の主走査方向における幅を検出するか否かを分ける場合について説明したが、記録媒体に余白を設けることなく画像を記録する所謂「縁無し記録」の指示が記録指令に含まれている場合には、指示されている解像度とは無関係に、先端検出処理と、幅検出処理の両方を実行するように構成しても良い。
【０１０７】
また、本実施形態では、検出位置で記録媒体が検出されなかった場合には、記録媒体に記録をすることなく記録媒体を装置外に排出する場合について説明したが、検出位置で記録媒体が検出されなかった場合には、記録媒体の幅をメディアセンサ５１で検出し、その検出された記録媒体の幅からはみ出してインクが吐出されないように記録データを加工して、その加工した記録データを記録媒体に記録するように構成しても良い。
【図面の簡単な説明】
【０１０８】
【図１】複合機の外観構成を示す斜視図である。
【図２】複合機のハウジング内における内部構造を示す略断面図である。
【図３】複合機のハウジング内における内部構造を示す略断面図である。
【図４】給紙装置の外観構成を示す斜視図である。
【図５】複合機の電気的構成を示すブロック図である。
【図６】印刷処理を示すフローチャートである。
【図７】先端検出処理を示すフローチャートである。
【図８】サイズが異なる記録媒体と検出位置との関係を示す図である。
【符号の説明】
【０１０９】
１                      複合機（インクジェット記録装置）
２１                    インクジェット記録ヘッド（記録ヘッド）
２０                    キャリッジ
５１                    メディアセンサ（検出手段）
Ｓ１                    取得手段
Ｓ２１，Ｓ２３，Ｓ２４  設定手段
Ｓ２１，Ｓ２３，Ｓ２４  移動手段
Ｓ５                    確認手段
Ｓ２０                  第１判断手段
Ｓ３，Ｓ６，Ｓ７        解像度判断手段
Ｓ４                    先端検出手段
Ｓ９                    幅検出手段
【図１】
0004840344.tif 000002
【図２】
0004840344.tif 000003
【図３】
0004840344.tif 000004
【図４】
0004840344.tif 000005
【図５】
0004840344.tif 000006
【図６】
0004840344.tif 000007
【図７】
0004840344.tif 000008
【図８】
0004840344.tif 000009